(57)【要約】【課題】位置決め精度を向上させて、組付性を良好なものとするダンパマウント取付構造を提供する。【解決手段】サスペンション装置３の上部３ａを車体１側の取付開口６に固定するダンパマウント１０を備える。ダンパマウント１０は、サスペンション装置３の上部３ａに装着されるハウジング部１１と、ハウジング部１１の外周面１１ａから突設されて、ハウジング部１１が取付開口６に挿入された状態で取付開口６の周縁部の裏面側６ａに当接して、ハウジング部１１を取付開口６の周縁に取付けるステー部１５と、ステー部１５およびハウジング部１１の外周面１１ａとの間を連設する複数の第１リブ２１，第２リブ２２，第３リブ２３が設けられる。第１リブ２１，第２リブ２２，第３リブ２３は、取付開口６の内周面６ｂに対向する側面２１ａ，２２ａ，２３ａを有する。【選択図】図１
2020069872.tif 000002
【特許請求の範囲】
【請求項１】
サスペンションの上部を車体側の取付開口に固定するダンパマウントを備え、
前記ダンパマウントは、前記サスペンションの上部に装着される基体と、
前記基体の外周面から突設されて、前記基体が前記取付開口に挿入された状態で該取付開口の周縁部の裏面側に当接して、前記基体を前記取付開口の周縁に取付ける取付部と、
前記取付部および前記基体の外周面との間を連設するリブとを設け、
前記リブは、前記取付開口の内周面に対向する側面を有することを特徴とするダンパマウント取付構造。
【請求項２】
前記側面を前記基体の中心軸と交差する角度で形成して、前記リブと前記取付部との間の交点部で、該取付部の当接面は、面内外方向に窪む凹部を有することを特徴とする請求項１に記載のダンパマウント取付構造。
【請求項３】
前記リブは、前記基体の外周面のうち、前記基体の中心軸よりも車幅方向で外側に複数設けられていることを特徴とする請求項１または２に記載のダンパマウント取付構造。
【請求項４】
前記リブは、車両前後方向に少なくとも一対設けられていることを特徴とする請求項３記載のダンパマウント取付構造。
【請求項５】
前記取付部の当接面と、前記取付開口の周縁部の裏面側とは、前記基体の中心軸と交差する同一角度で形成されていることを特徴とする請求項１ないし４のうち何れか一項に記載のダンパマウント取付構造。
【発明の詳細な説明】
【技術分野】
【０００１】
本発明は、ダンパマウント取付構造に関する。
【背景技術】
【０００２】
従来のダンパマウント取付構造としては、ダンパのアッパーブラケットにボルトを設け、タイヤハウス側に設けられたボディタイヤハウスの上壁にボルト孔を設けている。そして、ボルト孔にボルトを挿通する状態を得て、ボルトの先端部をナットで締付けることにより、ダンパの上部をボディタイヤハウスの上壁に取付ける（例えば特許文献１等参照）。
このようなダンパマウント取付構造では、ダンパの上部をボディタイヤハウスの上壁に取付ける際、位置決めを行ってボルト孔にボルトを挿通する。
【先行技術文献】
【特許文献】
【０００３】
【特許文献１】特開２００２−１９４４０号公報
【０００４】
【特許文献２】特開２００６−３１６８６４号公報
【発明の概要】
【発明が解決しようとする課題】
【０００５】
しかしながら、従来のダンパマウント取付構造では、ダンパが車体に対して位置ズレを起こすと、ボルト孔にボルトが入りにくく、ボルト締結が困難となるといった問題があった。
本発明は、位置決め精度を向上させて、組付性を良好なものとすることができるダンパマウント取付構造を提供することを目的とする。
【課題を解決するための手段】
【０００６】
本発明のダンパマウント取付構造は、サスペンションの上部を車体側の取付開口に固定するダンパマウントを備え、ダンパマウントは、サスペンションの上部に装着される基体と、基体の外周面から突設されて、基体が取付開口に挿入された状態で取付開口の周縁部の裏面側に当接して、基体を取付開口の周縁に取付ける取付部と、取付部および基体の外周面との間を連設するリブとを設け、リブは、取付開口の内周面に対向する側面を有することを特徴としている。
【発明の効果】
【０００７】
本発明によれば、位置決め精度を向上させて、組付性を良好なものとすることができるダンパマウント取付構造が提供される。
【図面の簡単な説明】
【０００８】
【図１】本発明の実施形態にかかるダンパマウント取付構造で、車体のサスペンション取付部にダンパマウントを装着した全体の構成を説明する斜視図である。
【図２】ダンパマウント取付構造で、車体のサスペンション取付部にダンパマウントを装着する様子を説明する斜視図である。
【図３】ダンパマウント取付構造に用いられるダンパマウントの斜視図である。
【図４】ダンパマウントを他の方向から見た斜視図である。
【図５】ダンパマウントの側面図である。
【図６】ダンパマウントの上面図である。
【図７】ダンパマウント取付構造で、車体のサスペンション取付部にダンパマウントを装着する様子を説明する上面図である。
【図８】ダンパマウント取付構造で、ダンパマウントが回転する様子を図７中矢視ＶＩＩＩ方向から見た側面図である。
【図９】ダンパマウント取付構造で、ダンパマウントが位置決めされて装着される様子を説明する上面図である。
【図１０】位置決めされたボルト固定孔にボルトが挿通される様子を示す図９中Ｘ−Ｘ線に沿った位置での断面図である。
【図１１】ダンパマウントが装着された状態で、取付開口の周縁部に位置する内周面が凹部によってＲ乗上げしていない様子を説明する図９中ＸＩ−ＸＩ線に沿った位置での断面図である。
【発明を実施するための形態】
【０００９】
以下、本発明の一実施形態について、適宜図面を参照しながら説明する。同一の構成要素には同一の符号を付し、重複する説明を省略する。方向を説明する際には、特に示さない限り、基本的に運転者から見た前後，左右あるいは上下に基づいて説明する。また、「車幅方向」は「左右方向」と同義である。
【００１０】
図１に示すように、この実施形態のダンパマウント取付構造は、車体１側のサスペンション取付部２と、サスペンション装置３と、サスペンション装置３の上部３ａに装着されてサスペンション装置３をサスペンション取付部２に取付けるダンパマウント１０とを備えている。
【００１１】
この実施形態では、車体１の右前方の車輪に用いられるサスペンション装置３のダンパマウント取付構造を示して説明する。なお、左前方、左，右後方の車輪に適応されるサスペンション装置３のダンパマウント取付構造については、右前方の車輪に用いられるサスペンション装置３と同一乃至均等であるので説明を省略する。
【００１２】
この実施形態のサスペンション取付部２は、座面部５を有している。座面部５は、車体１の車幅方向で左，右一対設けられたボディタイヤハウス４の上部に車幅方向内側に向けて傾斜して形成されている。
座面部５は、取付開口６と、一対のボルト締結孔７，７とを有している。取付開口６は、上部中央部に円形に開口している。ボルト締結孔７，７は、取付開口６を車両前後方向両側から挟むように反対側に配置されてそれぞれ開口形成されている。
【００１３】
サスペンション装置３は、車体１の左，右ホイールハウス内に配置されていて、図示省略のコイルスプリングおよび緩衝部材としてのショックアブソーバ等を有している。
ショックアブソーバは、円筒状のダンパチューブ３ｂ内にショックアブソーバ本体を収納している。また、ダンパチューブ３ｂの上端からは、挿抜方向に伸縮するピストンロッドが突設されている。さらに、ダンパチューブ３ｂの下部が図示しないナックルアーム等、車体１に対して相対移動する箇所に接続されている。
【００１４】
図２に示すように、サスペンション装置３の上部には、ダンパチューブ３ｂの上端から上方に突設されたピストンロッドの先端にダンパマウント１０が装着されている。
ダンパマウント１０は、サスペンション装置３の上部３ａに装着される基体としてのハウジング部１１と、ハウジング部１１の外周面１１ａから一体に突設された取付部としてのステー部１５とを有している。
【００１５】
車体１側の取付開口６の内径寸法Ｄ１は、ダンパマウント１０のハウジング部１１の外径寸法Ｄ２よりも大きく設定されている（図７参照）。
そして、ダンパマウント１０は、ハウジング部１１を取付開口６内に挿入して、取付開口６の周縁の裏面側６ａにステー部１５を当接させて取付けられる。これにより、サスペンション装置３の上部は、車体１に装着されて車両上下方向への入力荷重を吸収して緩和する。
【００１６】
図３〜図６は、実施形態のダンパマウント１０の構成を説明するものである。
実施形態のダンパマウント１０は、円筒状のハウジング部１１を有している。
図３に示すように、ハウジング部１１の外周面１１ａには、ステー部１５およびハウジング部１１の外周面１１ａとの間を連設する第１リブ２１，第２リブ２２，第３リブ２３が設けられている。
第１リブ２１，第２リブ２２，第３リブ２３は、ハウジング部１１の径方向外側に向けて凸設されていて、取付開口６の内周面６ｂに対向して、ここでは、平行となる側面２１ａ，２２ａ，２３ａを有している（図１１参照）。
【００１７】
それぞれの側面２１ａ，２２ａ，２３ａは、ダンパマウント１０がそれぞれ取付開口６の内周面６ｂに対向する側面２１ａ，２２ａ，２３ａは、外周面１１ａからステー部１５に向かって径方向外側に向けて末広がりで、ハウジング部１１の中心線Ｌと交差する角度でテーパ状に形成されている。
これらの側面２１ａ，２２ａ，２３ａは、所定の幅寸法を有して傾斜する直線状に形成されている。
【００１８】
また、図４に示すように、ステー部１５の上面側には、平坦な当接面１６と、当接面１６を面内外方向に窪ませた凹部５０が形成されている。
凹部５０は、外周面１１ａに沿う上面視くの字状（図６参照）で、第１リブ２１，第２リブ２２，第３リブ２３間に跨って形成されている。そして、側面２１ａ，２２ａ，２３ａと当接面１６との間の交点部６０は、ステー部１５の当接面１６のうち、凹部５０内に位置するように構成されている（図１１参照）。
【００１９】
図５に示すように、ステー部１５の上面に形成された当接面１６は、平坦でかつ、ハウジング部１１の中心線Ｌに対して所定の角度α（０〜９０°）で傾斜して形成されている。このため、中心線Ｌ廻りの角度がズレていても、ダンパマウント１０が下方から押されることにより傾斜にならい、ハウジング部１１が回転して、対応するボルト挿通孔１７，１７とボルト締結孔７，７とがそれぞれ合う。そして、当接面１６は、取付開口６の周縁部の裏面側６ａに面当たり状態で当接することが出来る。
【００２０】
図６に示すように、当接面１６には、ボルト挿通孔１７，１７が形成されている。ボルト挿通孔１７，１７の位置は、座面部５に形成されたボルト締結孔７，７にそれぞれ対応して開口形成されている。これらのボルト挿通孔１７，１７およびボルト締結孔７，７の位置は、取付開口６の周囲の何れの位置に設けられていてもよい。
そして、当接面１６を裏面側６ａに当接させた状態で、これらのボルト締結孔７，７およびボルト挿通孔１７，１７に締結部材としてのボルト部材３０，３０が挿通される（図２参照）。ボルト部材３０，３０は、座面部５の上面側に配置されるナット部材４０，４０に螺合される。ボルト部材３０，３０およびナット部材４０，４０の螺合により、サスペンション装置３の上部３ａは、車体１に固定される（図１参照）。
【００２１】
また、図６に示すように、複数の第１リブ２１，第２リブ２２，第３リブ２３は、それぞれハウジング部１１の中心線Ｌよりも車幅方向で外側に設けられている。そして、各第１リブ２１，第２リブ２２，第３リブ２３は、傾斜する側面２１ａ，２２ａ，２３ａによって対向する面が形成されている。この実施形態では、さらに側面２１ａ，２２ａ，２３ａが外周面１１ａと当接面１６との間でテーパ状に連設するように形成されている。
【００２２】
更に、図９に示すように、この実施形態の第１リブ２１，第２リブ２２，第３リブ２３は、外周面１１ａの周上に一定の間隔を置いて設けられている。そして、第２リブ２２，第３リブ２３は、第１リブ２１を挟んで等距離に車両前後方向に一対設けられている。
【００２３】
そして、図１０に示すように、実施形態の当接面１６は、ハウジング部１１の中心線Ｌと斜めに交差するように角度αが設定されている。
当接面１６の傾斜方向は、サスペンション取付部２の座面部５の裏面側６ａの傾斜方向と同一角度αで車幅方向内側（Ｉｎ方向）に向けて下降するように形成されている（図１０参照）。
【００２４】
次に、この実施形態のダンパマウント取付構造の作用効果について説明する。
このように構成された実施形態のダンパマウント取付構造では、位置決め精度を向上させて、組付性を良好なものとすることができる。
すなわち、サスペンション装置３の上部３ａを車体１のサスペンション取付部２に取付ける場合、図２に示すように、座面部５の裏面側６ａから車両上方に向けてハウジング部１１を挿入する。
この際、図７に示すように、取付開口６の内径寸法Ｄ１は、ハウジング部１１の外径寸法Ｄ２よりも大きく、ハウジング部１１は、取付開口６内へ車両上下方向に挿通可能である（図８参照）。第１リブ２１の側面２１ａ，第２リブ２２の側面２２ａ，第３リブ２３の側面２３ａは、取付開口６の内周面６ｂに対向するように形成されている。
このため、ハウジング部１１が取付開口６内へ挿通されると、各側面２１ａ，２２ａ，２３ａは、取付開口６の内周面６ｂに摺接しながら、ハウジング部１１を所望の装着位置までスライドガイドする。
よって、位置決め精度が向上するため、ボルト部材３０，３０をボルト挿通孔１７，１７からボルト締結孔７，７に向けて容易に挿通（図１０参照）させ、ナット部材４０，４０に螺合させることができる。
このように、図１に示すようにサスペンション装置３の上部３ａを車体１に取付けられる所望の位置まで導くことができる。したがって、サスペンション装置３を組付ける際の組付性を良好なものとすることができる。
【００２５】
また、この実施形態では、取付開口６の内周面６ｂに対向する側面２１ａ，２２ａ，２３ａが一定の幅寸法を有してハウジング部１１の中心線Ｌと交差する角度で傾斜して直線状に形成されている。
このため、側面２１ａ，２２ａ，２３ａは、外周面１１ａからステー部１５に向かって径方向外側に向けて末広がりで、ハウジング部１１の中心線Ｌと交差する角度を有し、交点部６０は、凹部５０内に位置する（図１１参照）。
したがって、裏面側６ａが当接面１６に当接した状態でも裏面側６ａおよび内周面６ｂ間の角部が車体側の入隅部に形成されるＲ部に乗り上げることがなく、位置ズレを防止できる。また、平行とした場合には、必ず面当たり状態で当接する。
よって、意図した位置ズレ量の調整が可能となり、さらに位置決め精度を向上させることができる。
また、車体１側の取付開口６の周縁に、受け面(切起こしなど)を別途加工する等、新設する形状を設ける必要がない。したがって、ハウジング部１１側の加工のみで完結するため、製造が容易である。
【００２６】
また、図６に示すように、第１リブ２１，第２リブ２２，第３リブ２３は、それぞれハウジング部１１の中心線Ｌよりも車幅方向で外側に設けられている。
図９に示すように、車体１にサスペンション装置３が装着された状態では、取付開口６の内周面６ｂに、所定間隔を置いて設けられた複数の第１リブ２１，第２リブ２２，第３リブ２３が当接している。
複数の第１リブ２１等のうち、二点で当接していると回転が抑制され、更に三点で当接していると、回転が抑制されるとともに、位置ズレが更に抑制される。
この実施形態では、三か所で当接しているため、一か所で当接している場合と比べてハウジング部１１は、中心線Ｌを中心とする回転方向の移動が抑制されるとともに、位置ズレが更に抑制される。
【００２７】
更に、図９に示すように、車両前後方向に一対設けられた第２リブ２２，第３リブ２３は、第１リブ２１を挟んで同じ距離で取付開口６の内周面６ｂに当接している。装着されている状態で第２リブ２２，第３リブ２３は、車両前後方向に向けて内周面６ｂをそれぞれ逆方向に押圧している。
このため、車体１に対して、サスペンション装置３の上部３ａが車両前後方向に移動することを抑制することができる。
【００２８】
そして、図１０に示すように、実施形態の当接面１６は、周縁部の裏面側６ａと同一の角度αでハウジング部１１の中心線Ｌと斜めに交差するように取付角度が設定されている。このため、当接面１６と、周縁部の裏面側６ａとは、平行な状態で重なり合い、さらに位置決め精度が向上して、組付性を良好なものとすることができる。
【００２９】
すなわち、この実施形態では、図７に示すように座面部５の裏面側６ａから車両上方に向けてハウジング部１１を挿入すると、図８に示すように所定の角度αで傾斜するステー部１５の比較的高い部分が裏面側６ａに当接する。
ステー部１５の比較的高い部分は、裏面側６ａに摺接しながら反力で移動して、ハウジング部１１を押圧する。このため、サスペンション装置３を周方向Ａに回転させる。
【００３０】
このため、図９に示すようにボルト挿通孔１７，１７の位置がボルト締結孔７，７にそれぞれ合い、図１０に示すように、容易にボルト部材３０を先端からボルト挿通孔１７およびボルト締結孔７内に挿入できる。
この状態で傾斜方向を同一角度αとする当接面１６と周縁部の裏面側６ａとは、平行な状態で重なり合う。
したがって、ナット部材４０をボルト部材３０に螺合させる際の位置決め精度がさらに向上して、容易に組付できる。
【００３１】
本発明は上述し実施形態に限定されるものではなく、種々の変形が可能である。上述した実施形態は本発明を理解しやすく説明するために例示したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について削除し、若しくは他の構成の追加・置換をすることが可能である。上記実施形態に対して可能な変形は、たとえば以下のようなものである。
【００３２】
この実施形態では、車体１の右前方の車輪に用いられるサスペンション装置３のダンパマウント取付構造を示して説明してきたが特にこれに限らない。たとえば、左前方、左，右後方の車輪にサスペンション装置３のダンパマウント取付構造に適用してもよく、用いる部分及び数量が特に実施形態の記載により限定されるものではない。
【００３３】
また、この実施形態では、複数の第１リブ２１，第２リブ２２，第３リブ２３を設けている。このうち、第２リブ２２，第３リブ２３は、第１リブ２１を挟んで等距離に車両前後方向に一対設けられている。しかしながら、特にこれに限らない。たとえば、第１リブ２１等は、単独で用いられてもよく、二対以上の対として設けられていても、離間した位置に複数設けられていてもよい。すなわち、ステー部１５およびハウジング部１１の外周面１１ａとの間を連設して、取付開口６の内周面６ｂに対向する側面２１ａ等を有するものであれば、リブの形状、数量および材質が特に限定されるものではないなお、リブは追加により精度を向上させることができるとともに、取付開口６の内周面６ｂに対向して側面２１ａ等を平行にすることで、さらに精度を向上させることができる。
【００３４】
さらに、この実施形態では、第１リブ２１，第２リブ２２，第３リブ２３は、ハウジング部１１の径方向外側に向けて凸設されていて、取付開口６の内周面６ｂに対向して、ここでは、平行となる側面２１ａ，２２ａ，２３ａを有している（図１１参照）。しかしながら、特にこれに限らず、たとえば、平行でなくてもよく、他のどのような角度であっても、内周面６ｂに対向するものであればよい。
【００３５】
また、側面２１ａ，２２ａ，２３ａがテーパ状に連設するように形成されている。しかしながら、特にこれに限らず、内周面６ｂに対向する対向する側面２１ａ，２２ａ，２３ａであれば、テーパ状でなくてもよく、また、傾斜角度がどのような角度であってもよく、たとえば、傾斜していなくてもよく、さらには、一つの側面２１ａに異なる傾斜角度の複数の傾斜面が組合わせられたものであってもよい。
【００３６】
さらに、図１０に示すように、実施形態の当接面１６は、ハウジング部１１の中心線Ｌと斜めに交差するように、サスペンション取付部２の座面部５の裏面側６ａの傾斜方向と同一角度αで車幅方向内側（Ｉｎ方向）に向けて下降する傾斜方向を有しているが、特にこれに限らない。たとえば、傾斜方向が車幅方向外側（Ｏｕｔ方向）に向いていてもよく、また、車両前後方向等、下降する方向がどの方向であってもよい。
【符号の説明】
【００３７】
１      車体
３      サスペンション装置（サスペンション）
３ａ    上部
６      取付開口
６ａ    裏面側
６ｂ    内周面
１０    ダンパマウント
１１    ハウジング部
１１ａ  外周面
１５    ステー部（取付部）
２１〜２３      第１〜第３リブ
２１ａ〜２３ａ  側面
【図１】
2020069872.tif 000003
【図２】
2020069872.tif 000004
【図３】
2020069872.tif 000005
【図４】
2020069872.tif 000006
【図５】
2020069872.tif 000007
【図６】
2020069872.tif 000008
【図７】
2020069872.tif 000009
【図８】
2020069872.tif 000010
【図９】
2020069872.tif 000011
【図１０】
2020069872.tif 000012
【図１１】
2020069872.tif 000013